(57)【要約】      （修正有）【課題】通常使用するゴルフクラブのグリップ部にも簡単に取り付け或いは取り外すことができ汎用性があり、且つグリップ圧を感知して音で知らせることができる補助グリップを提供する。【解決手段】ゴルフクラブのグリップ部Ｂに取り付け自在な補助グリップ部Ａと、音発生手段を有し、補助グリップ部Ａによりグリップ圧を感知して、音発生手段により警告音を発生する補助グリップ装置であって、補助グリップ部Ａは屈曲性のあるシート状に形成されており、内部にはグリップ圧を感知する圧力感知手段が設けられ、該圧力感知手段からの感知信号により音発生手段から警告音を発生する補助グリップ装置。【選択図】図５
2019093142.tif 000002
【特許請求の範囲】
【請求項１】
ゴルフクラブのグリップ部に取り付け自在な補助グリップ部と、音発生手段を有し、前記補助グリップ部によりグリップ圧を感知して、前記音発生手段により警告音を発生する補助グリップ装置であって、
前記補助グリップ部は屈曲性のあるシート状に形成されており、内部にはグリップ圧を感知する圧力感知手段が設けられ、該圧力感知手段からの感知信号により音発生手段から警告音を発生するものであり、
前記音発生手段は、受信部を備え、ゴルフクラブとは離間した別所に設けられていることを特徴とする補助グリップ装置。
【請求項２】
前記圧力感知手段が、圧電素子と発信部とを備えており、該圧電素子に一定圧が加わることにより、通電し、一定のグリップ圧が感知され、該感知信号が発信部から音発生手段に送られて警告音が発生するものであり、
前記補助グリップ部は、矩形状に形成されており、円弧状のバネ線体が間隔を開けて複数個設けられており、ゴルフクラブのグリップ部に弾圧的に取り付け可能となっていることを特徴とする請求項１記載の補助グリップ装置。
【請求項３】
前記圧力感知手段が、第１端子部とバネ体と該バネ体に設けられた第２端子部と電池部と発信部とを備えており、一定圧が加わることによりバネの力に抗して第１端子部に第２端子部が接触して通電し、グリップ圧が感知され、該感知信号が発信部から音発生手段に送られて警告音が発生するものであり、
前記補助グリップ部は、矩形状に形成されており、円弧状のバネ線体が間隔を開けて複数個設けられており、ゴルフクラブのグリップ部に弾圧的に取り付け可能となっていることを特徴とする請求項１記載の補助グリップ装置。
【請求項４】
前記各バネ線体の長さが、前記グリップ部の傾斜面に対応するように徐々に長くなるように設けられていることを特徴とする請求項２又は３記載の補助グリップ装置。
【請求項５】
前記補助グリップ部が前記補助グリップ部の一辺から延出した袋部を有しており、該袋部には加熱要素又は保冷要素を収納自在となっていることを特徴とする請求項１〜４いずれか１項に記載の補助グリップ装置。
【請求項６】
前記補助グリップ部は上面部に指挿入部を備えていることを特徴とする請求項１〜５いずれか１項に記載の補助グリップ装置。
【請求項７】
前記補助グリップ部は、前記グリップ部に対する位置決め用の目印部を備えていることを特徴とする請求項１〜６いずれか１項に記載の補助グリップ装置。
【発明の詳細な説明】
【技術分野】
【０００１】
本発明は、ゴルフのグリップに取り付けて使用する補助グリップ装置に関するものであって、更に詳しくは、ゴルフのグリップに取り付け自在でありグリップ圧を感知して音で知らせることができる補助グリップ装置に関する。
【背景技術】
【０００２】
一般に、ゴルフの基本はグリップの仕方（いわゆる握り方）から始まるといわれている。
指導者は、教える前に、このことの重要性を初心者に強く伝えている。
間違ったとされているグリップを一旦覚えてしまうと、その癖がなかなか抜けにくくなり、後からの修正が極めて困難である。
そのため、初心者の段階でグリップの仕方に癖が付かないようにゴルフの基本技術を習得する必要がある。
【０００３】
ところで、グリップの仕方、いわゆる握り方の方式には種々の違いがありそれぞれ特色を持っている。
例えば、ウイークグリップ、フックグリップ（ストロンググリップ）、スクウエアグリップ等によってクラブのグリップに対する握る指の使い方が異なる。
一方で、グリップの握り方の違いにかかわらず握る圧力（グリップ圧）については極めて重要である。
【０００４】
一般に、よく言われるように、グリップ圧（いわゆるグリッププレッシャー）は、強すぎないことが肝要である。
著名なゴルフ指南書の多くには、このグリップ圧の適正の重要性が記されている。
【０００５】
例えば、グリップ部は小鳥を掴むように握ることが肝要で、強くグリップすることは極力避けるようにといわれている。
そのため、基本的にグリップは、あまり強く握り過ぎないようにすることがコツである。
実際、ゴルフコースで経験することであるが、強く握った状態では、手首の柔軟性を得られず、コックによる遠心力効果にも悪影響を及ぼしヘッドスピードの向上が図れない。
更には、アドレス時の姿勢にも悪影響があるとされている。
強くグリップすると飛距離が伸びないことはよく経験することである。
【０００６】
このようなことを背景に、グリップ圧を測定して光等により知らせる装置が開発されている〈特許文献１参照〉。
【０００７】
しかし、この装置で使用されているクラブは、グリップ自体に測定装置が内蔵された特殊なグリップを備えたクラブであり、通常、使っているゴルフクラブには適用できない。
すなわち、実際のゴルフコースで使用しているクラブに取り付けて対応できるものではない。
全てのゴルフクラブのグリップ部に汎用的に適応できるものではないのである。
【０００８】
また、この装置では、グリップ圧を過大だと知らせてくれる光が、使用者の顔を向ける方向によっては視認できない場合も生じる。
一方、グリップ圧を検出してヘッド部を振動させるゴルフクラブも開発されている〈特許文献２参照〉。
しかし、これも練習用に作られた特殊なグリップ部を有するものであり、汎用性がない。
【先行技術文献】
【特許文献】
【０００９】
【特許文献１】特表２００５−５３２５５９号公報
【特許文献２】特開２０１１−１２０６０９号公報
【発明の概要】
【発明が解決しようとする課題】
【００１０】
本発明は、このような従来の技術的な問題点を解決するものである。
すなわち、本発明の目的は、通常使用するゴルフクラブのグリップ部にも簡単に取り付け或いは取り外すことができ汎用性があり、且つグリップ圧を感知して音で知らせることができる補助グリップを提供するものである。
【課題を解決するための手段】
【００１１】
以上のような背景に対して、本発明者が創意工夫を重ねた結果、補助グリップとして圧力感知手段１を備えたシート状の補助グリップを用いることにより、汎用性が出て上記問題点を解決できることを見出し、この知見により本発明を完成した。
【００１２】
すなわち、本発明は、（１）、ゴルフクラブのグリップ部Ｂに取り付け自在な補助グリップ部Ａと、音発生手段２を有し、補助グリップ部Ａによりグリップ圧を感知して、音発生手段２により警告音を発生する補助グリップ装置であって、補助グリップ部Ａは屈曲性のあるシート状に形成されており、内部にはグリップ圧を感知する圧力感知手段１が設けられ、圧力感知手段１からの感知信号により音発生手段２から警告音を発生するものであり、音発生手段２は、受信部２１を備え、ゴルフクラブとは離間した別所に設けられている補助グリップ装置に存する。
【００１３】
すなわち、本発明は、（２）、圧力感知手段１が、圧電素子１１と発信部１２とを備えており、圧電素子１１に一定圧が加わることにより、通電し、一定のグリップ圧が感知され、感知信号が発信部１２から音発生手段２に送られて警告音が発生するものであり、補助グリップ部Ａは、矩形状に形成されており、円弧状のバネ線体３が間隔を開けて複数個設けられており、ゴルフクラブのグリップ部Ｂに弾圧的に取り付け可能となっている上記（１）記載の補助グリップ装置に存する。
【００１４】
すなわち、本発明は、（３）、圧力感知手段１が、第１端子部１１Ａ１とバネ体１１Ａ３とバネ体１１Ａ３に設けられた第２端子部１１Ａ２と電池部１３と発信部１２とを備えており、一定圧が加わることによりバネの力に抗して第１端子部１１Ａ１に第２端子部１１Ａ２が接触して通電し、グリップ圧が感知され、感知信号が発信部１２から音発生手段２に送られて警告音が発生するものであり、補助グリップ部Ａは、矩形状に形成されており、円弧状のバネ線体３が間隔を開けて複数個設けられており、ゴルフクラブのグリップ部Ｂに弾圧的に取り付け可能となっている上記（１）記載の補助グリップ装置に存する。
【００１５】
すなわち、本発明は、（４）、各バネ線体３の長さが、グリップ部Ｂの傾斜面に対応するように徐々に長くなるように設けられている上記（２）又は（３）記載の補助グリップ装置に存する。
【００１６】
すなわち、本発明は、（５）、補助グリップ部Ａが補助グリップ部Ａの一辺から延出した袋部４を有しており、袋部４には加熱要素又は保冷要素を収納自在となっている上記（１）〜（４）いずれか１つに記載の補助グリップ装置に存する。
【００１７】
すなわち、本発明は、（６）、補助グリップ部Ａは上面部に指挿入部５を備えている上記（１）〜（５）いずれか１つに記載の補助グリップ装置に存する。
【００１８】
すなわち、本発明は、（７）、補助グリップ部Ａは、グリップ部Ｂに対する位置決め用の目印部６を備えている上記（１）〜（６）いずれか１つに記載の補助グリップ装置に存する。
【発明の効果】
【００１９】
本発明は、ゴルフクラブのグリップ部Ｂに取り付け自在な補助グリップ部Ａと、音発生手段２を有し、補助グリップ部Ａによりグリップ圧を感知して、音発生手段２により警告音を発生する補助グリップ装置であって、補助グリップ部Ａは屈曲性のあるシート状に形成されており、内部にはグリップ圧を感知する圧力感知手段１が設けられ、該圧力感知手段１からの感知信号により音発生手段２から警告音を発生するものであるので、通常、使用するゴルフクラブのグリップ部Ｂに簡単に取り付け或いは取り外すことができる。
また、方向に影響されずグリップ圧を感知して音で知ることができる。
そのため、適正なグリップ圧を習得することができる。
【００２０】
また、圧力感知手段１により一定圧力を感知することにより音発生手段２から警告音を発生するものであるので、グリップ圧が大きいことを確実に認知することができる。
【００２１】
また、音発生手段２は、ゴルフクラブとは離間した別所に設けられているので、警告音の発生位置を自由に選択できる。
【００２２】
また、圧力感知手段１が、圧電素子１１と発信部１２とを備えており、圧電素子１１に一定圧が加わることにより、通電し、一定のグリップ圧が感知され、該感知信号が発信部１２から音発生手段２に送られて警告音が発生するものであるので、圧力感知手段１１が簡素化され内蔵が容易となる。
【００２３】
また、圧力感知手段１が、第１端子部１１Ａ１とバネ体１１Ａ３とバネ体１１Ａ３に設けられた第２端子部１１Ａ２と電池部１３と発信部１２とを備えており、一定圧が加わることによりバネの力に抗して第１端子部１１Ａ１に第２端子部１１Ａ２が接触して通電し、グリップ圧が感知され、該感知信号が発信部１２から音発生手段２に送られて警告音が発生するものであるので、バネ体１１Ａ３の弾圧力に強さの選択によりグリップ圧の大きさを異なったものに設定することができる。
【００２４】
また、円弧状のバネ線体３が間隔を開けて複数個設けられており、ゴルフクラブのグリップ部Ｂに弾圧的に取り付け可能となっているので、バネ線体３を開いて、補助グリップ部Ａのグリップ部Ｂへの取り付けが極めて容易、かつ確実に行える。
この場合、各バネ線体３は横方向に（すなわちグリップ部Ｂに取り付けた状態でグリップ部Ｂの軸芯とは垂直方向に）平行に設けられていることが好ましい。
【００２５】
また、各バネ線体３の長さが、グリップ部Ｂの傾斜面に対応するように徐々に長くなるように設けられていると、テーパー状に設けられたグリップ部Ｂに対応して、確実に補助グリップ部Ａを取り付けることができる。
【００２６】
また、補助グリップ部Ａが補助グリップ部Ａの一辺に延出した袋部４を有しており、袋部４には加熱要素又は保冷要素を収納自在となっていることにより、手を、特に甲の部分を、温めたり或いは冷やしたりすることが可能で、天候によらず快適に補助グリップ装置を利用することができる。
【００２７】
また、補助グリップ部Ａは上面部に指挿入部５を備えていることにより、使用者が適切なグリップ部Ｂの握り位置を、容易に理解することができる。
【００２８】
補助グリップ部Ａは、グリップ部Ｂに対する位置決め用の目印部６を備えていることにより、使用者が補助グリップ装置をグリップ部Ｂに対して、容易に適切な位置で取り付けることができる。
【図面の簡単な説明】
【００２９】
【図１】図１は、本発明の補助グリップ部の外観図である。
【図２】図２は、補助グリップ部に組み込まれた圧力感知手段を説明する図である。
【図３】図３は、本発明の補助グリップ部をまだゴルフクラブに取り付けていない状態のゴルフクラブを示す図である。
【図４】図４は、補助グリップ部を示す外観図である。
【図５】図５は、本発明の補助グリップ部をゴルフクラブに取り付けた後の状態のゴルフクラブを示す図である。
【図６】図６は、圧力感知手段（圧電素子、発信部）と音発生部（受信部、スピーカ部）との関係を説明する図である。
【図７】図７は、アドレス時においてグリップ圧が過大になり警告音が発せられる場合を説明する図である。
【図８】図８は、グリップ圧大による警告音の発生までのフローチャートを示す図である。
【図９】図９は、補助グリップ部に加えて、可撓性シートを設けた場合を示す説明図であり、（ａ）は、可撓性シートを補助グリップ部の上面に貼り合わせた場合を示し、（ｂ）は、可撓性シートを補助グリップ部の下面に貼り付けた場合を示す。
【図１０】図１０は、本発明の第２の実施の形態における圧力感知手段（電池部、バネ部、発信部）と音発生手段（受信部、スピーカ部）との関係を説明する図である。
【図１１】図１１は、本発明の第２の実施の形態におけるバネ部の原理を説明する図である。
【図１２】図１２は、袋部を備えた補助グリップ部を示す外観図である。
【図１３】図１３は、指挿入部を備えた補助グリップ部を示す外観図である。
【図１４】図１４は、他の実施例に係る補助グリップ部の外観図である。
【図１５】図１５は、補助グリップ部の切れ目の形状の異なる例を示した概略図であり、各々、（Ａ）は、切れ目が波形である補助グリップ部、（Ｂ）は、切れ目が孤状である補助グリップ部、及び（Ｃ）は、切れ目が斜状である補助グリップ部を示す。
【発明を実施するための形態】
【００３０】
（第１の実施の形態）
以下、必要に応じて図面を参照しつつ、本発明の好適な実施形態について詳細に説明する。
本発明は通常使用するゴルフクラブのグリップ部Ｂに簡単に取り付け或いは取り外すことができるものである。
そしてスイングした場合、使用者の握るグリップ圧（一定）を感知することができ、しかも音（音声）で使用者に知らせることができる。
【００３１】
図１は、本発明の補助グリップ部Ａの外観図（展開状態）である。
本発明の補助グリップ部Ａは、屈曲性のあるシート状に形成されており、図に示すように強制的に平面状に展開することができる（図４の状態→図１の状態）。
シート状の材料としては、合成樹脂シート、繊維シート等が採用される。
尚、この実施の形態では展開状態では矩形状となっている。
通常は、補助グリップ部Ａに備わったバネ線体３により、全体が筒状に維持された状態にある。
この補助グリップ部Ａは、この筒状の状態から拡開してグリップ部に取り付けることができる。
【００３２】
補助グリップ部Ａには、その内部に鎖線で示す圧力感知手段が組み込まれており、これについては、図２に基づいて後述する。
【００３３】
補助グリップ部Ａには、下面部に円弧状のバネ線体３が間隔を開けて複数個設けられており、ゴルフクラブのグリップ部Ｂに弾圧的に取り付け可能となっている。
補助グリップ部Ａを取り付ける際には、補助グリップ部Ａの端辺と端辺の間の部分であるＣ字状のバネ線体３の円弧が切れている部分（すなわち切れ目Ｋ）を押し広げる。
そしてグリップ部Ｂに当てがい、その後、グリップ部Ｂに押し込む。
補助グリップ部Ａをグリップ部Ｂに挿入した後にバネ線体３から力を除くと、バネ線体３が有する弾圧力により元の形に復帰し、バネ線体３がグリップ部Ｂを弾圧的に保持する状態となる。
これにより、補助グリップ部Ａのグリップ部Ｂへの取り付けが極めて容易、かつ確実に行える。
尚、補助グリップ部Ａはグリップ部Ｂの端から軸方向に押し入れることも可能である。
【００３４】
ところで、グリップ部Ｂは、通常、端部に向けて径が太くなっており、そのためグリップ部Ｂの表面は傾斜面を形成している。
図３は、本発明の補助グリップ部Ａをまだゴルフクラブ（ここではアイアン）に取り付けていない状態のゴルフクラブを示す図である。
【００３５】
図４は、補助グリップ部Ａを示す外観図である。
筒状に維持された状態にある補助グリップ部Ａは、グリップ部Ａの太さに応じて弾圧的にグリップ部Ｂに装着される。
バネ線体３の切れ目Ｋの間隙が変わることで、太さの異なるグリップ部Ｂに対応することができる。
このように、切れ目Ｋがあることにより、グリップ部Ａに対する取り付けの自由度が増すことになる。
ところで、バネ線体３の長さがグリップ部Ｂの傾斜面に対応するように、徐々に長くなるように設け、これに合わせて補助グリップ部Ａのシートを台形状に設けることも可能である。
これにより、テーパー状に設けられたグリップ部Ｂに対応して、確実に補助グリップ装置Ａを取り付けることができる。
【００３６】
ここで、スポンジシートや発泡樹脂シート等の可撓性シートＣを補助グリップ部Ａに添わせたり、或いは貼り付けたりしておくことによって圧力が緩和され、後述する圧力感知手段に加わるグリップ圧の強さを調整することができる（図９参照）。
【００３７】
補助グリップ部Ａは、グリップ部Ｂに対する位置決め用の目印部６を設けることもできる。
目印部６は、視認できるものであれば、図１に示されるような切り込みの他、ペイントや刺繍等が採用される。
補助グリップ部Ａをグリップ部Ｂに取り付ける際には、目印部６をグリップ部Ｂの所定の位置と合わせることにより、容易に適切な位置で取り付けることができる。
【００３８】
補助グリップ部Ａをグリップ部Ｂに取り付ける場合には、先述したように、まず補助グリップ部Ａの切れ目Ｋの部分をゴルフクラブのグリップ部Ｂに当てがう。
その後、バネ線体３の切れ目を押し広げて、グリップ部Ｂに押し込むと、グリップ部Ｂの周囲に巻き付け状態となり、補助グリップ部Ａはバネ線体３の弾圧力により固定される。
【００３９】
図５は、本発明の補助グリップ部Ａをゴルフクラブに取り付けた後の状態のゴルフクラブを示す図である。
このように、補助グリップ部Ａはゴルフクラブのグリップ部Ｂの周面に沿って巻き付け状態となって固定される。
補助グリップ部Ａは、屈曲性のあるシート状であり、且つ切れ目Ｋを有するので、ゴルフクラブの径が大きいものにも、或いはそれより小さいものにも十分対応することができる。
【００４０】
なお、補助グリップ部Ａをゴルフクラブのグリップ部から取り外すには、バネ線体３を押し広げることで容易に取り外せる。
補助グリップ部Ａは、このように取り付け及び取り外しが極めて簡単に行われる。
【００４１】
さて、この補助グリップ部Ａは、使用者が手で握る圧力、すなわち、グリップ圧を感知（いわゆる検知）することができる。
そのため、前述したように、補助グリップ部Ａの内部には、圧力感知手段１が設けられている。
図２は、その補助グリップ部Ａに組み込まれた圧力感知手段１を説明する図である。
また、図６は、圧力感知手段１（圧電素子１１、発信部１２）と音発生手段２（受信部２１、スピーカ２２）との関係を説明する図である。
また、図７は、アドレス時においてグリップ圧が過大になり警告音が発せられる場合を説明する図である。
これについては、アドレス、バックスイング、及びダウンスイングのケースで後述する。
【００４２】
具体的にいうと、ここでの圧力感知手段１は、圧電素子１１が使われており、該圧電素子１１と発信部１２とを備えた回路となっている。
圧電素子１１に圧力が加わると、電圧が発生するため回路に電流が流れて通電し、発信部１２から感知信号が発信される。
この場合、ある一定の電圧が加わると感知信号が発信されるように構成されている。
【００４３】
なお、グリップ圧がある限度を超えると電圧も一定の限度を超えるので、感知信号が発信される。
これら圧力感知手段１における圧電素子１１と発信部１２を有する回路は、２枚の薄シートの間に内蔵されており、２枚の薄シートは、例えば接着により一体化されて一枚のシート状の補助グリップ部Ａが形成されている。
この薄シートの材料としては、屈曲性を担保する観点から、ＰＥ，ＰＰ等の合成樹脂、更には合成ゴムが採用される。
【００４４】
一方、受信部２１を備えた音発生手段２がゴルフクラブとは離間した別所に設けられており、音発生手段２により警告音が発せられるようになっている。
ここで、受信部２１やスピーカ部２２が、音発生手段２に組み込まれており、前述した圧力感知手段１にある発信部１２からの感知信号をこの受信部２１で受信して、これにより音発生手段２（詳しくはスピーカ部２２）から警告音が発せられる。
【００４５】
図８は、グリップ圧大による警告音の発生までのフローチャートを示す図である。
この音発生手段２は、補助グリップ部Ａから独立しているので、例えば椅子の上やグランド面に載置することが可能であり、或いは、音発生手段２を覆う図示しないカバー体に引っ掛けを設けることで、壁面に掛けたりすることができる。
【００４６】
この音発生手段２からの警告音を聞いて、使用者（プレーする者）は、グリップ圧が一定の圧力をオーバ―していることを認知できる。
この場合、音発生手段２の設置位置を使用者が警告音を聞き取り易い位置にセットすることができる。
【００４７】
次に、この実施の形態における補助グリップ装置を使用する方法について述べる。
【００４８】
（使用方法）
まず、本発明の補助グリップ部Ａをゴルフクラブのグリップ部Ｂに取り付ける。
それには、ゴルフクラブのグリップ部Ｂに屈曲性のあるシート状の補助グリップ部Ａをバネ線体３の弾圧力を利用して巻き付け状態にすればよい。
【００４９】
ここで、一般的にゴルフクラブのグリップ部Ｂは、手元に至るに従って、径大となっているが、屈曲性のあるシート状の補助グリップ部Ａであるため確実に巻き付けられた状態となる。
矩形のシート状の補助グリップ部Ａであると、両側の端部が傾斜することになる。
【００５０】
また、ゴルフクラブには、アイアンやドライバーがあり、そのグリップ部Ｂの径はそれぞれ異なっているので、補助グリップ部Ａを巻き付けた状態が変わる。
【００５１】
しかし、先述したように、補助グリップ部Ａは、端辺と端辺との間隔（すなわち切れ目Ｋの間隔）を有するため、径の異なるグリップ部Ｂに応じて調整することができる。
このように、ゴルフクラブのグリップ部に補助グリップ部を取り付ける際、取り付けの自由度が大となることが分かる。
【００５２】
補助グリップ部Ａをゴルフクラブのグリップ部Ｂに取り付けた後は、使用者は、次のスイングアクションに備え、手で補助グリップ部Ａを握るのであるが、ゴルファーによっては、グリップの仕方が異なる。
【００５３】
例えば、ストロンググリップ（いわゆるフックグリップ）の場合でも、或いはウイークグリップやスクウエアグリップの場合でも、補助グリップ部Ａの圧電素子１１に力が加わることでは同じである。
次に、スイングの過程を考える。
【００５４】
Ａ）アドレス
今、アドレスの状態でグリップ圧が大きいと、圧電素子１１に一定値以上の力が加わり対応して一定値以上の電圧が発生し回路に電流が流れる。
通電により感知信号が発せられ、この感知信号を受け別所に設けられた音発生手段２から警告音を発する。
使用者は、この警告音を聞いてアドレス時のグリップ圧が高過ぎることを認知することができる。
【００５５】
Ｂ）バックスイング
次に、スイングを行うが、バックスイングの途中でグリップ圧が大きくなると圧電素子１１に一定値以上の力が加わり対応して一定値以上の電圧が発生し回路に電流が流れる。
この通電により感知信号が発せられ、別所に設けられた音発生手段２から警告音を発する。
使用者は、この警告音を聞いてバックスイング時のグリップ圧が高過ぎることを認知することができる。
そのため適正なグリップ圧を習得できることとなる。
【００５６】
Ｃ）ダウンスイング
次に、ダウンスイングを行うが、ダウンスイングの途中でグリップ圧が大きくなると圧電素子１１に一定値以上の力が加わり対応して一定値以上の電圧が発生し回路に電流が流れる。
この通電により信号が発せられ、別に設けられた音発生手段２が警告音を発する。
使用者は、この警告音を聞いてダウンスイング時のグリップ圧が高過ぎることを認知することができる。
【００５７】
このように、「アドレスの状態」、「バックスイングの状態」、「ダウンスイングの状態」におけるいずれの状態においても、一定限度以上のグリップ圧が加わると圧電素子１１にも一定限度以上の力が加わり、それによって一定限度以上の電圧が発生し回路に電流が流れる。
この通電により感知信号が発せられ、別所に設けられた音発生手段２が警告音を発する。
【００５８】
使用者は、この警告音を聞いて「アドレスの状態」、「バックスイングの状態」、「ダウンスイングの状態」のいずれの状態においてもグリップ圧が高過ぎる（一定の圧力をオーバ―している）ことを認知することができる。
【００５９】
尚、逆に音が出ないことで、グリップ圧が過大でなく適正の範囲であることが確認できる。
ここで、先述したように、補助グリップ部Ａに加えて、スポンジシートや発泡樹脂シート等の可撓性シートＣを合わせて設けることにより、圧力感知手段１に加わるグリップ圧の強さを調整することができる。
【００６０】
図９は、補助グリップ部Ａに加えて、可撓性シートＣを設けた場合を示す説明図である。
また、図９（ａ）は、可撓性シートＣを補助グリップ部Ａの上面に貼り合わせた場合を示し、図９（ｂ）は、可撓性シートＣを補助グリップ部Ａの下面に貼り付けた場合を示す。
【００６１】
可撓性シートＣにより圧力感知手段１に加わるグリップ圧が緩和されるため強さを調整することができる。
この場合、接着剤等を使った貼り合わせをしないで、単に添わせておくことも可能であり、弾圧力の異なる可撓性シートＣの中から必要とするものを適宜選択することができる利点がある。
単に添わせておくよりも、粘着剤を介して添わせた方が、ズレ等が生じなく好ましい。
【００６２】
もっとも、ゴルフクラブのグリップ部Ｂに直接、可撓性シートＣを巻き付けておき、その上に補助グリップ部Ａを巻き付けることも可能である。
【００６３】
（第２の実施の形態）
この第２の実施の形態において、補助グリップ部Ａは、第１の実施の形態と同じように、屈曲性のあるもの（すなわちフレキシブルなもの）で、シート状に形成されており、平面視では矩形状となっている。
しかし、第１の実施の形態に較べてこの第２の実施の形態は、圧力感知手段１の原理が異なっている。
【００６４】
図１０は、本発明の第２の実施の形態における圧力感知手段１（電池部１３、バネ部１１Ａ、発信部１２）と音発生手段２（受信部２１、スピーカ部２２）との関係を説明する図である。
【００６５】
また、図１１は、本発明の第２の実施の形態におけるバネ部１１Ａの原理を説明する図である。
その構造は、圧力感知手段１のバネ部１１Ａが第１端子部１１Ａ１とバネ体１１Ａ３とバネ体１１Ａ３の一部に設けられた第２端子部１１Ａ２と電池部１３と発信部１２を有する回路を備えている。
【００６６】
そして、グリップ力が一定の大きさを超えると、バネの力に抗して第１端子部１１Ａ１に第２端子部１１Ａ２が接触して回路に電流が流れる。
この通電により発信部１２から感知信号が発せられ、別所に設けられた音発生手段２が警告音を発する。
音発生手段２に組み込まれた受信部２１で、感知信号が受信されて音発生手段２（詳しくは、スピーカ部２２）が警告音を発するのである。
【００６７】
この音を聞いて、使用者は、グリップ圧が高過ぎる（一定の圧力をオーバ―している）ことを認知することができる。
これら圧力感知手段１における第１端子部１１Ａ１、バネ体１１Ａ３、第２端子部１１Ａ１、電池部１３、発信部１２を有する回路は、前述した第１の実施の形態のように、２枚の薄シートの間に内蔵されている。
【００６８】
このような圧力感知手段１では、バネ体１１Ａ３の弾圧力の強さを選択することにより、警告が発せられる際のグリップ圧の強さを変えることができる利点がある。
次に、この実施の形態における補助グリップ装置を使用する方法について述べる。
【００６９】
（使用方法）
Ａ）アドレス
今、アドレスの状態でグリップ圧が大きいと、第１端子部１１Ａ１がバネ圧に抗して回動し該第１端子部１１Ａ１と第２端子部１１Ａ２が接して回路に電流が流れる。
この通電により感知信号が発せられ、この感知信号が別所に設けられた音発生手段２の受信部２１で受信され音発生手段２から警告音を発する。
使用者は、この警告音を聞いてアドレス時のグリップ圧が高過ぎることを認知することができる。
【００７０】
Ｂ）バックスイング
次に、バックスイングを行うが、バックスイングの途中でグリップ圧が大きくなると、第１端子部１１Ａ１がバネ圧に抗して移動し第１端子部１１Ａ１と第２端子部１１Ａ２が接して回路に電流が流れる。
この通電により感知信号が発せられ、この感知信号が別所に設けられた音発生手段２の受信部２１で受信され音発生手段２から警告音を発する。
使用者は、この警告音を聞いてバックスイング時のグリップ圧が高過ぎることを認知することができる。
【００７１】
Ｃ）ダウンスイング
次に、ダウンスイングを行うが、ダウンスイングの途中でグリップ圧が大きくなると、第１端子部１１Ａ１がバネ圧に抗して移動し該第１端子部１１Ａ１と第２端子部１１Ａ２が接して回路に電流が流れる。
【００７２】
この通電により感知信号が発せられ、この感知信号が別所に設けられた音発生手段２の受信部２１で受信され音発生手段２から警告音を発する。
使用者は、この警告音を聞いてダウンスイング時のグリップ圧が高過ぎることを認知することができる。
【００７３】
このように、「アドレスの状態」、「バックスイングの状態」、「ダウンスイングの状態」におけるいずれの状態においても、限度以上のグリップ圧が加わると第１端子部１１Ａ１がバネ圧に抗して移動し該第１端子部１１Ａ１と第２端子部１１Ａ２が接して回路に電流が流れる。
【００７４】
この通電により信号が発せられ、別所に設けられた音発生手段２が警告音を発する。
使用者は、この警告音を聞いて「アドレスの状態」、「バックスイングの状態」、「ダウンスイングの状態」のいずれの状態でもグリップ圧が高過ぎる（すなわち一定の圧力をオーバ―している）ことを認知することができる。
【００７５】
（第３の実施の形態）
図１２は、袋部４を備えた補助グリップ部Ａを示す外観図（展開図）である。
因みに、図で補助グリップ部Ａの左半分は、通常は、図４の如くバネ線体３の弾圧力により円筒状に維持されている。
本実施形態の補助グリップ装置Ａは、補助グリップ部Ａがその一辺に延出した袋部４を有している。
袋部４は、一辺が開いた袋状となっており、加熱要素又は保冷要素を収納自在である。
【００７６】
具体的には、第１片部４Ａと第２片部４Ｂが開いて収納用の空間が形成されるので、図１２の矢印に示す如く、使い捨てカイロや保冷剤等を収納することができる。      
使用する場合は、補助グリップ部Ａをグリップ部Ｂに取り付けた後、袋部４を手の甲側を覆うようにして渡し、その後、袋部４の端部を補助グリップ部Ａに固定する。
【００７７】
例えば、図に示すように補助グリップ部Ａの端部と袋部４の端部にタッチファスナＴを設けることで、袋部４の端部を、固定することが可能となる。
この状態では、第２片部４Ｂが上に位置することとなる。
袋部４には切り欠き４１が設けられており、これによりグリップ部Ｂに袋部４を巻き付けても手の一部を逃がすことができ、手の動きが阻害されず、スイングの妨げとならない。
補助グリップ部Ａが袋部４を備えることにより、手を、特に甲の部分を、温めたり或いは冷やしたりすることが可能で、天候によらず快適に補助グリップ装置を利用することができる。
【００７８】
（第４の実施の形態）
図１３は、指挿入部５を備えた補助グリップ部Ａを示す外観図である。指挿入部５の取り付け位置のみを示し、その他は省略して示す。
指挿入部Ａは、補助グリップ部の矩形状のシートの上面に、使用者が指を挿入可能なサック状に形成されている。指挿入部５は、使用者がスイングする場合に、矢印の如く指を挿入して用いるものである。
補助グリップ部Ａが指挿入部５を備えることにより、使用者が適切なグリップ部Ｂの握り位置を、容易に理解することができる。
通常、この指挿入部５には親指を挿入するが、フックグリップやスライスグリップ等、グリップにより適切な親指の位置は微妙に異なるので、親指を挿入した場合に自由度が出るように、指挿入部５は親指より大きめに形成することが好ましい。
【００７９】
（第５の実施の形態）
図１４は、他の実施例に係る補助グリップ部Ａの外観図である。
本実施形態に係る補助グリップ部Ａは、グリップ部Ｂに対する取り付け手段として、バネ線体３は使用せずに、タッチファスナＴを使用するものである。
矩形状である補助グリップ部Ａの両側の一定の領域にタッチファスナが設けられており、このタッチファスナＴが設けられている部分は、互いに離れて独立している。
ここで、一方は表側に他方は裏側に設けられる。
従って、シート状の補助グリップ部Ａをゴルフクラブのグリップ部Ｂの周囲に巻き付けた状態でタッチファスナを介して取り付けることができる。
すなわち、補助グリップ部Ａに設けられたタッチファスナＴ同士が密着して固定される。
【００８０】
補助グリップ部ＡがタッチファスナＴを備えることにより、グリップ部Ｂへの付け外しが容易であり、かつ様々な太さのゴルフクラブに適用が可能となる。
また、ゴルフクラブのグリップ部Ｂに巻き付けられた状態から、単にタッチファスナＴを引き離せば、シート状の補助グリップ部Ａは容易にグリップ部Ｂから取り外すことができる。
【００８１】
以上、本発明の好適な実施形態について説明したが、本発明は上記の実施形態に限定されるものではない。
【００８２】
例えば、本発明の補助グリップ装置は、屋内或いは屋外において練習する際に、グリップ圧を矯正するための練習用として使用することができるが、実際に、ゴルフコースでの本番プレーにおいても使用することができる。
その場合、音発生手段は、使用者が一緒に携帯することが好ましい。
【００８３】
その際、ゴルフコースでは、規則上で不適正の場合、不必要な場合等は、補助グリップ部を簡単に取り外すことができる。
【００８４】
また、シート状の補助グリップ部Ａは、本発明の目的を達成できる限り、矩形以外にも正方形や平行四辺形、他の形状も採用可能である。
【００８５】
ここで図１５は、補助グリップ部Ａの切れ目Ｋの形状の異なる例を示した概略図であり、各々、（Ａ）は、切れ目Ｋが波形である補助グリップ部Ａ、（Ｂ）は、切れ目Ｋが孤状である補助グリップ部Ａ、及び（Ｃ）は、切れ目Ｋが斜状である補助グリップ部Ａを示す。
これらは、グリップした場合、並んだ指の先が不用意に切れ目Ｋに入りにくくなる利点があり有用である。
【００８６】
また、円弧状のバネ線体３はグリップ部Ｂに弾圧的に取り付け可能となるものであれば、その位置や本数は限定されない。
バネ線体３には、例えば形状記憶合金よりなるバネ線体３も使用することができる。
この場合、補助グリップ部Ａは、形状記憶合金の特性により、常に筒状の状態を維持できる。
【００８７】
また、補助グリップ部Ａのグリップ部Ｂに対する取り付け手段は、シート状の補助グリップ部Ａの裏面に粘着剤を塗布したもの等も採用可能である。
その場合、補助グリップ部Ａの裏面が直接、グリップ部Ｂの表面に粘着するので、補助グリップ部Ａとグリップ部Ｂとの相互の滑りが生じない。
また、バネ部１１Ａのバネ体１１Ａ３は、弾発効果が得られるものであれば、その種類は問わない。
【００８８】
また、第１の実施の形態の圧電素子を原理とする圧力感知手段は、回路に加わる電流の大小により、すなわち、グリップ圧の大小により、音発生手段から発する警告音の大きさを変えるよう構成することも採用可能である。
また、圧力感知手段は、実施の形態に記載に記載されたもの以外に歪ゲージを利用したもの等、当然採用可能である。
【産業上の利用可能性】
【００８９】
本発明の補助グリップ装置は、通常使用するゴルフクラブのグリップ部Ｂに簡単に取り付け或いは取り外すことができ、またグリップ圧を感知して警告音で知らせることができるものであり、この原理を利用するものであれば、矯正用の補助グリップ装置として、野球バット、テニスラケット、バドミントンラケット、卓球ラケット等のグリップ部Ｂを有するものであれば、十分、適用が可能である。
【符号の説明】
【００９０】
Ａ…補助グリップ部
Ｂ…グリップ部
Ｃ…可撓性シート
１…圧力感知手段
１１…圧電素子
１１Ａ…バネ部
１１Ａ１…第１端子部
１１Ａ２…第２端子部
１１Ａ３…バネ体
１２…発信部
１３…電池部
２…音発生手段
２１…受信部
２２…スピーカ部
３…バネ線体
Ｋ…切れ目
４…袋部
４Ａ…第１片部
４Ｂ…第２片部
４１…切り欠き
５…指挿入部
６…目印部
Ｔ…タッチファスナ
【図１】
2019093142.tif 000003
【図２】
2019093142.tif 000004
【図３】
2019093142.tif 000005
【図４】
2019093142.tif 000006
【図５】
2019093142.tif 000007
【図６】
2019093142.tif 000008
【図７】
2019093142.tif 000009
【図８】
2019093142.tif 000010
【図９】
2019093142.tif 000011
【図１０】
2019093142.tif 000012
【図１１】
2019093142.tif 000013
【図１２】
2019093142.tif 000014
【図１３】
2019093142.tif 000015
【図１４】
2019093142.tif 000016
【図１５】
2019093142.tif 000017